(57)【要約】【課題】梱包箱の内部に収納される個々の樋支持具の傷付きを防止できるうえ、収納された樋支持具が梱包箱を突き破る危険もなく、しかも、樋支持具の所定数を簡単且つ確実に確認できる樋支持具の梱包収束具を提供する。【解決手段】雨樋の前耳及び後耳を各々掛止する前耳掛止部Ｔ１１及び後耳掛止部Ｔ１２を備えた樋支持具本体Ｔ１と、この樋支持具本体Ｔ１を軒先等に固定するための取付杆Ｔ２とを備えてなる樋支持具Ｔを、梱包箱の内部に収束して収納するための梱包収束具Ａであって、シート状に形成された梱包シート体１の長手方向の両端に各々係止部２、３を形成してなり、上記係止部２、３の一方を、複数並設された樋支持具Ｔの先端側又は基端側に係止すると共に、上記梱包シート体１をこれら樋支持具Ｔに一巻廻させ、前記係止部２、３の他方を、前記樋支持具Ｔの先端側又は基端側に係止して、複数の樋支持具Ｔを収束可能にする。【選択図】図１
2006282248.tif 000002
【特許請求の範囲】
【請求項１】
雨樋の前耳及び後耳を各々掛止する前耳掛止部及び後耳掛止部を備えた樋支持具本体と、この樋支持具本体を軒先等に固定するための取付杆とを備えてなる樋支持具を、梱包箱の内部に収束して収納するための梱包収束具であって、
シート状に形成された梱包シート体の長手方向の両端に各々係止部を形成してなり、
上記係止部の一方を、複数並設された樋支持具の先端側又は基端側に係止すると共に、上記梱包シート体をこれら樋支持具に一巻廻させ、前記係止部の他方を、前記樋支持具の先端側又は基端側に係止して、複数の樋支持具を収束可能にしたことを特徴とする樋支持具の梱包収束具。
【請求項２】
請求項１において、
係止部は、前耳掛止部又は後耳掛止部に係止される構造にしたことを特徴とする樋支持具の梱包収束具。
【請求項３】
請求項１又は２の何れかにおいて、
梱包収束具は、梱包箱に反転して収納可能な形状に形成されていることを特徴とする樋支持具の梱包収束具。
【請求項４】
請求項１〜３の何れかにおいて、
梱包収束具は、焼却処理しても無害な可燃性材料で形成されていることを特徴とする樋支持具の梱包収束具。
【請求項５】
請求項１〜４の何れかにおいて、
梱包収束具に取手部を設けたことを特徴とする樋支持具の梱包収束具。
【請求項６】
請求項１〜５の何れかにおいて、
梱包収束具には、上記樋支持具を外部から目視可能な覗き窓部を形成したことを特徴とする樋支持具の梱包収束具。
【発明の詳細な説明】
【技術分野】
【０００１】
本発明は、ダンボール箱などの梱包箱の内部に樋支持具を収束して収納するための梱包収束具に関する。
【背景技術】
【０００２】
一般に、樋支持具を目的地に輸送等する際には、例えば、ダンボール箱などの梱包箱の内部に、所定数の前記樋支持具をランダムに収納したうえで、前記梱包箱をテープなどで封止し、これらの梱包箱を箱積みして既存の輸送手段で輸送する。
【０００３】
そして、目的地に輸送された後には、上記テープを剥がして梱包箱を開放し、内部に収納された樋支持具を必要数だけ取り出して、作業現場等で使用するのである。
【０００４】
なお、樋支持具を束ねるようなものは、従来にはなかった。
【発明の開示】
【発明が解決しようとする課題】
【０００５】
しかしながら、樋支持具を目的地に輸送等する場合には以下の問題があった。
【０００６】
先ず、梱包箱の内部では、梱包箱の積込み、積降し作業時や、輸送中の振動等によって、樋支持具同士がぶつかり合って樋支持具を傷付けてしまう問題がある。
【０００７】
一方、上記問題は、樋支持具を個別に包装すれば解消できるが、数十個〜数百個単位で１つの梱包箱に収納される樋支持具を個別に包装すれば、包装作業に手間を要するうえ、コストが増すため、採用することはできない。
【０００８】
次に、梱包箱の積込み、積降し作業の衝撃時や、輸送中の振動等によって、内部に収納されている樋支持具が、前記梱包箱を突き破ってしまう恐れがあり、危険であるという問題がある。
【０００９】
そこで、上記梱包箱に収納される所定数の樋支持具を、小さなダンボール箱或いは小袋に小分けして一旦収納し、これら小箱、小袋を上記梱包箱に複数収納することで、いわば２重構造にしたうえで、輸送等を行うことも考えた。
【００１０】
しかし、このような２重構造では、梱包箱を突き破る恐れを解消できるものの、依然として上記の樋支持具を傷付けてしまう問題を解決することはできなかった。
【００１１】
更に、梱包箱の内部に収納されている樋支持具の有無、或いは、残数等を容易に確認できないという問題もある。
【００１２】
この問題は、輸送後の目的地、作業現場で樋支持具の所定数を確認する場合だけでなく、梱包箱の内部に収納するメーカー側でも同様に生じ得る。
【００１３】
すなわち、梱包箱の内部に収納される樋支持具の所定数は、一般に数十個〜数百個単位であり、このような大量の樋支持具の所定数を一々確認することは手間が多いうえ、数の間違いも生じ易く、非常に困難であった。
【００１４】
そのため、梱包箱内部に収納されている樋支持具の所定数を、簡単に確認できる手段が要望されている。
【００１５】
本発明は、これらの課題を一気に解決することを目的として新規に創作したもので、梱包箱の内部に収納される個々の樋支持具の傷付きを防止できるうえ、収納された樋支持具が梱包箱を突き破る危険もなく、しかも、収納される樋支持具の所定数を簡単且つ確実に確認できる樋支持具の梱包収束具を提供する。
【課題を解決するための手段】
【００１６】
上記目的を達成するため、
請求項１に係る樋支持具の梱包収束具は、雨樋の前耳及び後耳を各々掛止する前耳掛止部及び後耳掛止部を備えた樋支持具本体と、この樋支持具本体を軒先等に固定するための取付杆とを備えてなる樋支持具を、梱包箱の内部に収束して収納するための梱包収束具であって、シート状に形成された梱包シート体の長手方向の両端に各々係止部を形成してなり、上記係止部の一方を、複数並設された樋支持具の先端側又は基端側に係止すると共に、上記梱包シート体をこれら樋支持具に一巻廻させ、前記係止部の他方を、前記樋支持具の先端側又は基端側に係止して、複数の樋支持具を収束可能にしたことを特徴とする。
【００１７】
請求項２に係る樋支持具の梱包収束具は、請求項１において、係止部は、前耳掛止部又は後耳掛止部に係止される構造にしたことを特徴とする。
【００１８】
請求項３に係る樋支持具の梱包収束具は、請求項１又は２の何れかにおいて、梱包収束具が梱包箱に反転して収納可能な形状に形成されていることを特徴とする。
【００１９】
請求項４に係る樋支持具の梱包収束具は、請求項１〜３の何れかにおいて、梱包収束具が焼却処理しても無害な可燃性材料で形成されていることを特徴とする。
【００２０】
請求項５に係る樋支持具の梱包収束具は、請求項１〜４の何れかにおいて、梱包収束具に取手部を設けたことを特徴とする。
【００２１】
請求項６に係る樋支持具の梱包収束具は、請求項１〜５の何れかにおいて、梱包収束具には、上記樋支持具を外部から目視可能な覗き窓部を形成したことを特徴とする。
【発明の効果】
【００２２】
本発明によれば、次のような効果がある。
請求項１に係る樋支持具の梱包収束具によれば、樋支持具は、その先端側又は基端側に係止部の一方を係止すると共に、梱包シート体をこれら樋支持具に一巻廻させたうえで、係止部の他方を、樋支持具の先端側又は基端側に係止して整列されるため、梱包箱の積込み、積降し作業時や、輸送中の振動等によって、樋支持具同士がぶつかり合って傷付くことを防止できると共に、収納された樋支持具が梱包箱を突き破る危険も防止できる。
【００２３】
また、梱包シート体で梱包可能な樋支持具の数量が特定されるため、梱包箱内部に収納されている梱包収束具の数を数えるだけで、梱包箱内部に収納されている樋支持具の所定数を、簡単に確認できる。
【００２４】
請求項２に係る樋支持具の梱包収束具によれば、係止部は、前耳掛止部又は後耳掛止部に係止されるので、雨樋の前耳又は後耳を掛止するのと同様に、梱包シート体を確実に係止して、梱包箱の積込み、積降し作業時や、輸送中の振動等による梱包シート体の外れを確実に防止できる。
【００２５】
請求項３に係る樋支持具の梱包収束具によれば、梱包収束具は、梱包箱に反転して収納可能な形状に形成しているので、梱包箱の内部に梱包収束具を密な状態で無駄なく収納でき、梱包箱の積込み、積降し作業時や、輸送中の振動等による梱包収束具のガタツキが防止できるうえ、梱包箱を小型化できる。
【００２６】
請求項４に係る樋支持具の梱包収束具によれば、梱包収束具は、焼却処理しても無害な可燃性材料で形成しているので、樋支持具を使用した後に不要となった上記梱包収束具を、作業現場等で安全に焼却処理できる。
【００２７】
請求項５に係る樋支持具の梱包収束具によれば、梱包収束具に取手部を設けているので、複数の樋支持具が収納された梱包収束具を簡単に持ち運ぶことができ、例えば、高所にある作業現場などに複数の樋支持具を簡単且つ安全に持ち運ぶことができる。
【００２８】
請求項６に係る樋支持具の梱包収束具によれば、梱包収束具には、樋支持具を外部から目視可能な覗き窓部を形成しているので、梱包シート体を開放しなくても、その内部に収納されている樋支持具の所定数を簡単に確認できる。
【発明を実施するための最良の形態】
【００２９】
以下、本発明に係る樋支持具の梱包収束具Ａを図面とともに説明する。
【実施例１】
【００３０】
図１は、本発明に係る樋支持具の梱包収束具Ａの一実施例を示す使用状態の概略斜視図、図２（ａ）〜（ｃ）は、図１で示した梱包収束具Ａの作用を示した概略動作図である。
【００３１】
この樋支持具Ｔの梱包収束具Ａ（以下、単に「梱包収束具Ａ」と略する。）は、雨樋の前耳及び後耳を各々掛止する前耳掛止部Ｔ１１及び後耳掛止部Ｔ１２を備えた樋支持具本体Ｔ１と、この樋支持具本体Ｔ１を軒先等に固定するための取付杆Ｔ２とを備えてなる樋支持具Ｔを、ダンボール箱等の梱包箱（不図示）の内部に収束して収納するためのものであって、シート状に形成された梱包シート体１の長手方向の両端に各々係止部２、３を形成してなる。
【００３２】
また、図１、２で示した樋支持具Ｔは、雨樋の出具合をスライド可能なスライド式の樋支持具Ｔを示したものであるが、例えば、固定式の樋支持具Ｔでも同様である。
【００３３】
梱包シート体１は、手指で折り曲げ可能な厚みの１枚のボール紙材などで形成され、この紙材の長手方向の適所に、樋支持具Ｔの形状に応じた折り曲げ部１１を形成している。
【００３４】
また、梱包シート体１は、これを焼却処理しても無害な可燃性材料で形成するのが望ましく、具体的には、再生紙などの紙材を用いて形成すれば、使用後などの不要となった梱包収束具Ａを、作業現場等で焼却処理しても無害且つ安全に廃棄処理できる。
【００３５】
なお、ここでの梱包シート体１は、紙材で形成されたものを示したが、折り曲げ後の形状に保形された薄い樹脂シートでも可能である。
【００３６】
梱包シート体１の前、後端は、各々折り曲げて形成された係止部２、３を形成している。
【００３７】
これら係止部２、３は、樋支持具Ｔの先端側又は基端側に係止される。
【００３８】
ここで、先端側又は基端側とは、前耳掛止部Ｔ１１又は後耳掛止部Ｔ１２を含む周辺を意味するが、本実施例では、後耳掛止部Ｔ１２に係止される場合を例示しており、この後耳掛止部Ｔ１２に係止される構造にすれば、雨樋の後耳を掛止するのと同様に、梱包シート体１を確実に係止できる。
【００３９】
このように本発明の梱包収束具Ａは、以下の要領で極めて簡易に製造されて、使用される。
【００４０】
先ず、再生紙などの紙材を樋支持具Ｔの形状に合わせた型紙（不図示）に応じて周知の裁断機によって裁断し、谷折りした折り曲げ部１１を形成する。
【００４１】
なお、本実施例では、一方の係止部２は、山折り形成され、他方の係止部３は、折り曲げ部１１と同様に谷折りして形成しているが、これら折り曲げ部１１及び係止部２、３の折り曲げ方向は、樋支持具Ｔの形状に応じて適宜変更される。
【００４２】
そして、複数並設された樋支持具Ｔ、Ｔの後耳掛止部Ｔ１２に、一方の係止部２を差し込んで、係止する〔図２（ａ）参照〕。
【００４３】
次いで、梱包シート体１を、図中矢印方向に示すように、樋支持具Ｔの下方から上方に向けて折り曲げ部１１で折曲させて、当該樋支持具Ｔを一巻廻する〔図２（ｂ）参照〕。
【００４４】
最後に、他方の係止部３を、一方の係止部２と同じ樋支持具Ｔの後耳掛止部Ｔ１２に係止すれば、所定数の樋支持具Ｔが収束された梱包収束具Ａを形成できる〔図２（ｃ）参照〕。
【００４５】
そして、これらの梱包収束具Ａを順次梱包箱（不図示）に収納すれば、この梱包収束具Ａの数を数えるだけで、梱包箱（不図示）の内部に所定数の樋支持具Ｔを簡単且つ確実に収納することができるのである。
【００４６】
また、樋支持具Ｔを収束した際の梱包収束具Ａを、例えば、側面視三角形に形成すれば、梱包箱内に梱包収納具Ａが上、下反転されて積段することで、梱包箱内に梱包収束具Ａを密な状態で無駄なく収納でき、梱包箱の積込み、積降し作業時や、輸送中の振動等による梱包収束具Ａのガタツキが防止できるうえ、梱包箱を小型化できる。
【００４７】
このように、本発明の梱包収束具Ａによれば、樋支持具Ｔは、梱包シート体１で被覆されて同方向に整列され、梱包箱（不図示）に収納したときには、樋支持具Ｔは、梱包シート体１及び梱包箱（不図示）による二重構造で保護されるため、梱包箱の積込み、積降し作業時や、輸送中などに樋支持具Ｔ同士がぶつかり合って樋支持具Ｔが傷付くことを防止できる。
【００４８】
また、梱包シート体１で梱包可能な樋支持具Ｔの数量が特定されるため、梱包箱内部に収納されている梱包収束具Ａを数えるだけで、収納された樋支持具Ｔの所定数を簡単且つ確実に計数できる。
【００４９】
また、梱包シート体１の両端の係止部２、３は、樋支持具Ｔの先端側又は基端側に位置する前耳掛止部Ｔ１１又は後耳掛止部Ｔ１２に係止されるので、梱包箱の積込み、積降し作業時や、輸送中の振動等による梱包シート体１の外れを確実に防止できる。
【００５０】
しかも、使用後の梱包収束具Ａは、これを焼却処理しても無害な可燃性材料で形成しているので、不要となった梱包収束具Ａを、作業現場等で焼却処理しても無害且つ安全に廃棄処理できる。
【実施例２】
【００５１】
図３は、本発明に係る樋支持具の梱包収束具Ａの他の実施例を示す使用状態の概略斜視図である。
【００５２】
なお、図１、２と共通する部位には、共通の番号を付し、その説明は省略している。
【００５３】
この梱包収束具Ａでは、これを持ち運び可能な取手部４を設けている。
【００５４】
ここで、取手部４は、梱包シート体１の適所に開口を形成すれば良いが、本実施例では、梱包シート体１の幅方向に長い開口を形成することで、取手部４としての機能に加えて、収束された樋支持具Ｔを外部から目視可能な覗き窓部５としても兼用できるものを例示している。
【００５５】
この取手部４を持って、例えば、高所にある作業現場などに梱包収束具Ａを簡単に持ち運ぶことができるので、複数の樋支持具Ｔを一度に簡単且つ安全に持ち運ぶことができる。
【００５６】
また、このような取手部４及び覗き窓部５を形成すれば、梱包シート体１を開放しなくても、その内部に収束している樋支持具Ｔの有無を外部から簡単に確認できる。
【実施例３】
【００５７】
図４は、本発明に係る樋支持具の梱包収束具Ａの更に他の実施例を示す使用状態の概略斜視図であり、図５（ａ）〜（ｃ）は、図４で示した梱包収束具Ａの作用を示した概略動作図である。
【００５８】
なお、図１〜図３と共通する部位には、共通の番号を付して、その説明は省略し、以下では、本実施例の特徴だけを説明する。
【００５９】
この樋支持具Ｔの梱包収束具Ａでは、一方の係止部２を樋支持具本体１の先端側又は基端側に係止する点では実施例１と同じであるが、梱包シート体１を樋支持具Ｔに一巻廻させた他方の係止部３が、一方の係止部２側の梱包シート体１に係止されて、複数の樋支持具Ｔを収束可能にしている点で相違している。
【００６０】
ここでは、一方の係止部２が、後耳掛止部Ｔ１２と取付杆Ｔ２との間に係止され、樋支持具Ｔを一巻廻した他方の係止部３に形成された切込孔１２と、一方の係止部２の近傍を切り起こして形成した起立片１３とが係止される構造にしている。
【００６１】
このような構造の梱包収束具Ａであれば、前耳掛止部Ｔ１１又は後耳掛止部Ｔ１２に対して両端の係止部２、３が係止し難い場合であっても、両者を係止できる。
【産業上の利用可能性】
【００６２】
本発明は、梱包箱の内部に収納する樋支持具の梱包収束具として有効に利用することが可能である。
【図面の簡単な説明】
【００６３】
【図１】本発明に係る樋支持具の梱包収束具Ａの一実施例を示す使用状態の概略斜視図である。
【図２】（ａ）〜（ｃ）は、図１で示した梱包収束具Ａの作用を示した概略動作図である。
【図３】本発明に係る樋支持具の梱包収束具Ａの他の実施例を示す使用状態の概略斜視図である。
【図４】本発明に係る樋支持具の梱包収束具Ａの更に他の実施例を示す使用状態の概略斜視図である。
【図５】（ａ）〜（ｃ）は、図４で示した梱包収束具Ａの作用を示した概略動作図である。
【符号の説明】
【００６４】
Ａ      梱包収束具
Ｔ      樋支持具
Ｔ１    樋支持具本体
Ｔ１１  前耳掛止部
Ｔ１２  後耳掛止部
Ｔ２    取付杆
１      梱包シート体
２、３  係止部
４      取手部
５      覗き窓部
【図１】
2006282248.tif 000003
【図２】
2006282248.tif 000004
【図３】
2006282248.tif 000005
【図４】
2006282248.tif 000006
【図５】
2006282248.tif 000007